(57)【特許請求の範囲】
【請求項１】
刈り刃ハウジング内の刈り刃ハウジング横方向に並ぶ複数箇所に、回転ブレードを刈り刃ハウジング上下向きの回転軸芯まわりで駆動回動自在に設けたリヤディスチャージ形草刈り装置であって、
前記刈り刃ハウジングの内部に、前記複数箇所の回転ブレードの回転域の前方側に位置するとともに前記回転域に沿う円弧形に形成された前ガイドプレートを設け、
前記複数箇所の回転ブレードのうちの一つの回転ブレードによって刈られた刈り草を刈り刃ハウジング後方向きに流動案内するガイドプレートを、前記一つの回転ブレードに対応する前記前ガイドプレートの端部であって前記一つの回転ブレードに隣り合う回転ブレードに対応する前記前ガイドプレートの端部に連なる端部から刈り刃ハウジング後方向きに延出させて、かつ前記一つの回転ブレードよりも高い配置高さに配置して設け、
前記ガイドプレートの刈り刃ハウジング前後方向での前端側部分を、前記一つの回転ブレードの回転域の外側に配置し、
前記ガイドプレートの刈り刃ハウジング前後方向での後端側に、前記一つの回転ブレードの回転域のうちの前記一つの回転ブレードが刈り刃ハウジング後方向きに移動する領域に刈り刃ハウジング上下方向視で入り込む部分を備えてあるリヤディスチャージ形草刈り装置。
【請求項２】
前記ガイドプレートの刈り刃ハウジング前後方向での後端が、前記一つの回転ブレードの回転域のうちの前記領域に刈り刃ハウジング上下方向視で入り込んでいる請求項１記載のリヤディスチャージ形草刈り装置。
【請求項３】
刈り刃ハウジング内の刈り刃ハウジング横方向に並ぶ３つの前記回転ブレードを設け、
前記３つの回転ブレードのうちの刈り刃ハウジング横方向での中心部に位置する回転ブレードよりも刈り刃ハウジング横外方側に位置する回転軸芯まわりで駆動される回転ブレードで、かつ前記回転軸芯よりも刈り刃ハウジング横方向での内側において刈り刃ハウジング後方側に向かって回動する回転ブレードが、前記一つの回転ブレードである請求項１又は２記載のリヤディスチャージ形草刈り装置。
【発明の詳細な説明】
【技術分野】
【０００１】
本発明は、刈り刃ハウジング内の刈り刃ハウジング横方向に並ぶ複数箇所に、回転ブレードを刈り刃ハウジング上下向きの回転軸芯まわりで駆動回動自在に設けたリヤディスチャージ形草刈り装置に関する。
【背景技術】
【０００２】
上記の草刈り装置として、従来、たとえば特許文献１に示されるものを開発した。
特許文献１に示されるものは、刈刃体７（回転ブレードに相当）で刈り取った刈り草を後方に放出案内する案内板２２を備え、この案内板２２は、刈刃体７の回転軌跡外周部を取囲む平面円弧部２３と、この円弧部２３に対して刈刃体７の回転軌跡と同心上に外接する直線案内部２４とからなり、案内板２２は、案内板２２の全体にわたり、モーアデッキ１０（刈り刃ハウジングに相当）上下方向視で刈刃体７の刈り草処理域から外側に離れて位置し、案内板２２の直線案内部２４は、モーアデッキ１０（刈り刃ハウジングに相当）の前後方向に対して傾斜した配置になっているものである。
【０００３】
【特許文献１】実公平１−２５５４７号公報（第３，４欄、第２図）
【発明の開示】
【発明が解決しようとする課題】
【０００４】
上記した従来の草刈り装置にあっては、案内板は、回転ブレードの回転域から外側に離れており、刈り草が後方に精度よく排出されるようにするには、回転ブレードの回転によって発生する風が強くなって案内板に沿って流動しやすくなるように起風能力が高い回転ブレードを装備する必要があった。
【０００５】
本発明の目的は、比較的構造簡単な回転ブレードを採用しても刈り草の排出が精度よく行われるリヤディスチャージ形草刈り装置を提供することにある。
【課題を解決するための手段】
【０００６】
本第１発明にあっては、刈り刃ハウジング内の刈り刃ハウジング横方向に並ぶ複数箇所に、回転ブレードを刈り刃ハウジング上下向きの回転軸芯まわりで駆動回動自在に設けたリヤディスチャージ形草刈り装置において、
前記刈り刃ハウジングの内部に、前記複数箇所の回転ブレードの回転域の前方側に位置するとともに前記回転域に沿う円弧形に形成された前ガイドプレートを設け、
前記複数箇所の回転ブレードのうちの一つの回転ブレードによって刈られた刈り草を刈り刃ハウジング後方向きに流動案内するガイドプレートを、前記一つの回転ブレードに対応する前記前ガイドプレートの端部であって前記一つの回転ブレードに隣り合う回転ブレードに対応する前記前ガイドプレートの端部に連なる端部から刈り刃ハウジング後方向きに延出させて、かつ前記一つの回転ブレードよりも高い配置高さに配置して設け、
前記ガイドプレートの刈り刃ハウジング前後方向での前端側部分を、前記一つの回転ブレードの回転域の外側に配置し、
前記ガイドプレートの刈り刃ハウジング前後方向での後端側に、前記一つの回転ブレードの回転域のうちの前記一つの回転ブレードが刈り刃ハウジング後方向きに移動する領域に刈り刃ハウジング上下方向視で入り込む部分を備えてある。
【０００７】
すなわち、ガイドプレートが回転ブレードの回転域に近づいたり入り込んだりしてもガイドプレートと回転ブレードが接触しないようにガイドプレートを回転ブレードよりも高い配置高さに配置して設け、かつ、ガイドプレートの刈り刃ハウジング前後方向での後端側に、回転ブレードの回転域に刈り刃ハウジング上下方向視で入り込む部分を備えてあるものだから、回転ブレードの回転によって発生する風が若干弱くても、風がガイドプレートによって精度よく案内されて刈り草が風によって刈りハウジングから後方に排出されやすくなる。
【０００８】
従って、本第１発明によると、刈り草を刈り刃ハウジング内に落下や残留しにくいように刈り刃ハウジングから良好に排出させながら草刈り作業を行うことができものでありながら、起風精度が若干低い構造簡単な回転ブレードを採用して安価に得ることができる。
【０００９】
本第２発明にあっては、前記ガイドプレートの刈り刃ハウジング前後方向での後端が、前記一つの回転ブレードの回転域のうちの前記領域に刈り刃ハウジング上下方向視で入り込んでいる。
【００１０】
【００１１】
【００１２】
本第３発明にあっては、刈り刃ハウジング内の刈り刃ハウジング横方向に並ぶ３つの前記回転ブレードを設け、前記３つの回転ブレードのうちの刈り刃ハウジング横方向での中心部に位置する回転ブレードよりも刈り刃ハウジング横外方側に位置する回転軸芯まわりで駆動される回転ブレードで、かつ前記回転軸芯よりも刈り刃ハウジング横方向での内側において刈り刃ハウジング後方側に向かって回動する回転ブレードが、前記一つの回転ブレードである。
【００１３】
【００１４】
【発明を実施するための最良の形態】
【００１５】
以下、本発明の実施例を図面に基づいて説明する。
図１，２に示すように、左右一対の駆動自在な前車輪１、左右一対の操向操作自在な後車輪２、車体後部に設けたエンジン３が装備された原動部、この原動部の前側に設けた運転座席４が装備された運転部を備えた自走車体の車体フレームの前部を形成している前部ミッションケース５に、リンク機構６を介して草刈り装置１０を連結するとともに、前記エンジン３からの駆動力を前部ミッションケース５に設けた動力取り出し軸７から回転軸８を介して草刈り装置１０に伝達するように構成して、乗用型草刈機を構成してある。
【００１６】
この草刈機は、芝刈りや草刈り作業を行うものであり、リンク機構６に連動させて前部ミッションケース５の内部に設けてある昇降シリンダ（図示せず）を伸縮操作することにより、リンク機構６が前部ミッションケース５に対して上下に揺動操作されて草刈り装置１０を接地ゲージ輪１１が地面上に接地した下降作業状態と、接地ゲージ輪１１が地面上から上昇した上昇非作業状態とに昇降操作する。草刈り装置１０を下降作業状態にして自走車体を走行させると、草刈り装置１０が刈り刃ハウジング１２の内部で駆動回動される複数の回転ブレード１３，１４，１５によって芝刈りや草刈りを行う。
【００１７】
草刈り装置１０についてさらに詳述すると、図３，４，５に示すように、この草刈り装置１０は、障害物乗り越え用のローラ１６が回転自在に装着されるブラケット１７を前端側の横方向での中心部、及び、後端側の両横端部に有した前記刈り刃ハウジング１２、この刈り刃ハウジング１２の天板１２ａの刈り刃ハウジング横方向に並ぶ複数箇所から刈り刃ハウジング１２の内部に刈り刃ハウジング下方向きに延出している回転支軸１８、各回転支軸１８の下端部に一体回転自在に支持されている回転ブレード１３，１４，１５などを備えて構成してある。
【００１８】
刈り刃ハウジング１２は、前記天板１２ａ、この天板１２ａの山形の前縁部から刈り刃ハウジング下方向きに延出している前壁板１２ｂ、天板１２ａの左右の横縁部から刈り刃ハウジング下方向きに延出している横壁板１２ｃを備えて構成してある。刈り刃ハウジング１２の後部に、天板１２ａの後縁部と、刈り刃ハウジング内後端側の両横端部に位置する後ガイドプレート３０，３１の後端部とによって形成された刈り草排出口１９を刈り刃ハウジング１２のほぼ全横幅にわたって設けてある。
【００１９】
前記複数の回転ブレード１３，１４，１５のうちの刈り刃ハウジング横幅方向での中心部に位置するセンタ回転ブレード１４を支持する前記回転支軸１８は、刈り刃ハウジング１２の天板１２ａの上面側に位置する入力ギヤ機構２０（図２参照）に連動されている。全ての回転ブレード１３，１４，１５の回転支軸１８は、刈り刃ハウジング１２の天板１２ａの上面側に突出している部分で伝動ベルト２１（図２参照）によって連動されており、前記回転軸８からの駆動力が入力ギヤ機構２０によって前記センタ回転ブレード１４の回転支軸１８の上端側に伝達され、この回転支軸１８の駆動力が複数の回転ブレード１３，１４，１５のうちの刈り刃ハウジング両横外方側に位置するサイド回転ブレード１３，１５の回転支軸１８の上端側に伝動ベルト２１を介して伝達され、これにより、各回転支軸１８が回転駆動されて回転ブレード１３，１４，１５を回転支軸１８の刈り刃ハウジング上下向きの軸芯Ｐまわりで図３に示す回転方向Ａに回転するように回転駆動する。
【００２０】
図３，５に示すように、刈り刃ハウジング１２の内部に、前記各回転ブレード１３，１４，１５の回転域Ｂ（回転ブレード１３，１４，１５の先端が描く回転軌跡によって囲まれる範囲）の前方側近くに配置した前ガイドプレート３２、前記一対のサイド回転ブレード１３，１５のうちの一方のサイド回転ブレード１３に対応する前記前ガイドプレート３２のセンタ回転ブレード１４が位置する側の端部よりも刈り刃ハウンジング後方側に配置したサイドブレード用のガイドプレート３３、前記センタ回転ブレード１４に対応する前記前ガイドプレート３２の前記ガイドプレート３３が位置する側の端部よりも刈りハウジング後方側に配置した湾曲仕切りプレート３４、この湾曲仕切りプレート３４の後端側に一端側が連結した直線ガイドプレート３５、前記センタ回転ブレード１４に対応する前記前ガイドプレート３２の前記湾曲仕切りプレート３４が位置する側とは反端側の端部よりも刈り刃ハウジング後方側に配置したセンタブレード用のガイドプレート３６、前記一対のサイド回転ブレード１３，１５のうちの他方のサイド回転ブレード１５に対応する前記前ガイドプレート３２の前記ガイドプレート３６が位置する方の端部よりも刈り刃ハウジング後方側に配置した湾曲仕切りプレート３７、この湾曲仕切りプレート３７の後端側に一端側が連結した直線ガイドプレート３８、前記他方のサイド回転ブレード１５に対応する前記前ガイドプレート３２の前記湾曲仕切りプレート３７が位置する方とは反対側の端部よりも刈り刃ハウジング後方側に配置した湾曲ガイドプレート３９、前記一方のサイド回転ブレード１３の回転域Ｂの後横外側に配置した前記後ガイドプレート３０、前記他方のサイド回転ブレード１５の回転域Ｂの後横外側に配置した前記後ガイドプレート３１を設けてある。
【００２１】
前記各前ガイドプレート３２、前記各ガイドプレート３３，３５，３６，３８及び前記各仕切りプレート３４，３７は、帯板で成り、帯板の横幅方向が刈り刃ハウジング上下向きになり、かつ、帯板の横幅が刈り刃ハウジング１２の天板１２ａから刈り刃ハウジング下方向きに突出した状態にして天板１２ａの下面側に支持させてある。
【００２２】
図３，５に示すように、前記各前ガイドプレート３２は、刈り刃ハウジング上下方向視でサイド回転ブレード１３，１５やセンタ回転ブレード１４の回転域Ｂの前方側近くにその回転域Ｂの外周に沿って位置した円弧形に形成してある。各前ガイドプレート３２は、隣り合う一対の前ガイドプレート３２，３２の端部どうしが連なり合った状態に構成し、かつ、図４の如く前ガイドプレート３２の下端が回転ブレード１３，１４，１５の対地高さとほぼ同一の対地高さに位置する配置高さに位置した状態にしてある。
【００２３】
前記一方のサイド回転ブレード１３に対応する前記ガイドプレート３３は、このガイドプレート３３の全体にわたって前記一方のサイド回転ブレード１３よりも高い配置高さに位置するように配置してある。このガイドプレート３３は、刈り刃ハウジング上下方向視で円弧形に形成してある。このガイドプレート３３の刈り刃ハウジング前後方向での前端側部分３３ａは、前記一方のサイド回転ブレード１３の回転域Ｂの外側近くに位置している。このガイドプレート３３の刈り刃ハウジング前後方向での後端側部分３３ｂは、刈り刃ハウジング上下方向視で前記一方のサイド回転ブレード１３の回転域Ｂに入り込んだ状態に配置してある。これにより、ガイドプレート３３は、サイド回転ブレード１３の両端側の刃部Ｃの後側に位置する起風羽根Ｆによって発生された排出風、及び、この排出風によって搬送される刈り草をセンタ回転ブレード１４の方に漏れ出にくいように、かつ、刈り刃ハウジング後方向きに流動するように流動案内する。
【００２４】
前記センタ回転ブレード１４に対応する前記ガイドプレート３６は、このガイドプレート３６の全体にわたって前記センタ回転ブレード１４よりも高い配置高さに位置するように配置してある。このガイドプレート３６は、刈り刃ハウジング上下方向視で円弧形に形成してある。このガイドプレート３６の全体は、センタ回転ブレード１４の回転域Ｂの外側近くにその回転域Ｂの外周に沿った状態に位置している。これにより、ガイドプレート３６は、センタ回転ブレード１４の両端側の刃部Ｃの後側に位置する起風羽根Ｆによって発生された排出風、及び、この排出風によって搬送される刈り草をサイド回転ブレード１５の方に漏れ出にくいように、かつ、刈り刃ハウジング後方向きに流動するように流動案内する
【００２５】
前記センタ回転ブレード１４に対応する前記湾曲仕切りプレート３４は、前記ガイドプレート３３の前記前端側部分３３ａに共用の前端部分３４ａと、この前端側部分３４ａに前端側が連結している刈り刃ハウジング上下方向視で円弧形の後端側部分３４ｂとを備えさせて構成してある。この湾曲仕切りプレート３４は、これの全体にわたってセンタ回転ブレード１４よりも高い配置高さに位置するように配置してある。さらに、この湾曲仕切りプレート３４の前記前端側部分３４ａは、一方のサイド回転ブレード１３の回転域Ｂとセンタ回転ブレード１４の回転域Ｂとの間に配置し、この湾曲仕切りプレート３４の前記後端側部分３４ｂは、センタ回転ブレード１４の回転域Ｂの外側近くにその回転域Ｂの外周に沿った状態に配置してあり、湾曲仕切りプレート３４は、センタ回転ブレード１４の起風羽根Ｆによって発生した風が回転域Ｂから漏れ出にくいようにセンタ回転ブレード１４の回転域Ｂを仕切っている。
【００２６】
センタ回転ブレード１４に対応する前記直線ガイドプレート３５は、刈り刃ハウジング上下方向視で直線状に形成し、直線ガイドプレート３５のほぼ全体にわたってセンタ回転ブレード１４の回転域Ｂのセンタ回転ブレード１４よりも高い配置高さの部位に位置した状態に配置してある。この直線ガイドプレート３５は、前記湾曲仕切りガイドプレート３４の刈り刃ハウジング前後方向での後端側から刈り刃ハウジング前方向きに、センタ回転ブレード１４の回転域Ｂの内部に向かって直線状に延びて刈り草を刈り刃ハウジング後方向きに流動案内する状態に配置してある。
【００２７】
前記他方のサイド回転ブレード１５に対応する前記湾曲仕切りプレート３７は、センタ回転ブレード１４に対応する前記ガイドプレート３６の前端側部分３６ａに共用の前端部分３７ａと、この前端側部分３７ａに前端側が連結している刈り刃ハウジング上下方向視で円弧形の後端側部分３７ｂとを備えさせて構成してある。この湾曲ガイドプレート３７は、これの全体にわたってサイド回転ブレード１５よりも高い配置高さに位置するように配置してある。さらに、この湾曲仕切りプレート３７の前記前端側部分３７ａは、センタ回転ブレード１４の回転域Ｂの外側近くにセンタ回転ブレード１４の回転域Ｂの外周に沿った状態に配置してある。この湾曲仕切りプレート３７の前記後端側部分３７ｂは、サイド回転ブレード１５の回転域Ｂの外側近くにその回転域Ｂの外周に沿った状態に配置してある。これにより、湾曲仕切りプレート３７は、サイド回転ブレード１５の起風羽根Ｆによって発生した風が回転域Ｂから漏れ出にくいようにサイド回転ブレード１５の回転域Ｂをセンタ回転ブレード１４の回転域Ｂと仕切っている。
【００２８】
他方のサイド回転ブレード１５に対応する前記直線ガイドプレート３８は、刈り刃ハウジング上下方向視で直線状に形成し、直線ガイドプレート３８のほぼ全体にわたってサイド回転ブレード１５の回転域Ｂのサイド回転ブレード１５よりも高い配置高さの部位に位置した状態に配置してある。この直線ガイドプレート３８は、前記湾曲仕切りプレート３７の刈り刃ハウジング前後方向での後端側から刈り刃ハウジング前方向きに、サイド回転ブレード１５の回転域Ｂの内部に向かって直線状に延びて刈り草を刈り刃ハウジング後方向きに流動案内する状態に配置してある。
【００２９】
前記後湾曲ガイドプレート３９は、刈り刃ハウジング上下方向視で円弧形に形成してある。この後湾曲ガイドプレート３９の全体は、前記サイド回転ブレード１５の回転域Ｂの外側近くにその回転域Ｂに沿って位置して刈り草を刈りハウジング後方向きに流動案内するように配置してある。
【００３０】
要するに、草刈り装置１０は、刈り刃ハウジング１２の内部の刈り刃ハウジング横方向に並ぶ複数箇所に回転ブレード１３，１４，１５を刈り刃ハウジング上下向きの軸芯Ｐのまわりで回転方向Ａに駆動回動自在に備え、回転する各回転ブレード１３，１４，１５によって芝や草の刈り処理を行い、刈り芝や刈り草（以下、単に刈り草と称する。）を各回転ブレード１３，１４，１５の起風羽根Ｆの回転によって発生した排出風によって刈り刃ハウジング後部の刈り草排出口１９から刈り刃ハウジング１２の後方に排出するようにリヤディスチャージ形刈り草装置になっている。
【００３１】
すなわち、各回転ブレード１３，１４，１５が回転支軸１８の駆動力によって回転支軸１８の刈り刃ハウジング上下向き軸芯Ｐまわりで回転方向Ａに回転駆動され、自走車体の走行のために回転ブレード１３，１４，１５の回転域Ｂに入り込んで来た芝や草を回転ブレード１３，１４，１５の一対の刃部Ｃによって刈取り処理する。一方のサイド回転ブレード１３は、ガイドプレート３３に対してこのガイドプレート３３の前端側から後端側に向けて移動する状態で回転駆動される。センタ回転ブレード１４は、湾曲仕切りプレート３４に対してこの湾曲仕切りプレート３４の後端側から前端側に向けて移動する状態で回転駆動される。他方のサイド回転ブレード１５は、湾曲仕切りプレート３７に対してこの湾曲仕切りプレート３７の後端側から前端側に向けて移動する状態で回転駆動される。このとき、各回転ブレード１３，１４，１５は、回転ブレード１３，１４，１５の両端側の刃部Ｃの後側に位置する前記起風羽根Ｆによって排出風を発生させる。
【００３２】
前記一方のサイド回転ブレード１３の起風羽根Ｆによって発生した排出風は、前記後ガイドプレート３０、前ガイドプレート３２、前記ガイドプレート３３によって流動案内されて、かつ、ガイドプレート３３によってセンタ回転ブレード１４の方に漏れ出ることを抑制されてサイド回転ブレード１３の回転域Ｂをサイド回転ブレード１３の回転方向Ａに回動するように流動し、この回転域Ｂの後部において後ガイドプレート３０とガイドプレート３３の間から前記刈り草排出口１９に向けて流動してこの刈り草排出口１９から刈り刃ハウジング１２の後方に流出し、サイド回転ブレード１３によって刈られた刈り草は、サイド回転ブレード１３によって発生した排出風によって搬送されるとともに各ガイドプレート３０，３２，３３によって流動案内されて刈り草排出口１９から刈り刃ハウジング１２の後方に排出される。
【００３３】
前記センタ回転ブレード１４の起風羽根Ｆによって発生した排出風は、前記湾曲仕切りプレート３４、前ガイドプレート３２、前記ガイドプレート３６によって流動案内されて、かつ、湾曲仕切りプレート３４によってサイド回転ブレード１３の方に漏れ出ることを抑制されて、さらに、ガイドプレート３６によってサイド回転ブレード１５の方に漏れ出ることを抑制されてセンタ回転ブレード１４の回転域Ｂをセンタ回転ブレード１４の回転方向Ａに回動するように流動し、この回転域Ｂの後部において直線ガイドプレート３５とガイドプレート３６によって刈り刃ハウジング後方向きに流動案内されて直線ガイドプレート３５とガイドプレート３６の後端側どうしの間から前記刈り草排出口１９に向けて流動してこの刈り草排出口１９から刈り刃ハウジング１２の後方に流出し、センタ回転ブレード１４によって刈られた刈り草は、センタ回転ブレード１４によって発生した排出風によって搬送されるとともに各ガイドプレート３４，３２，３５及び仕切りプレート３６によって流動案内されて刈り草排出口１９から刈り刃ハウジング１２の後方に排出される。
【００３４】
前記他方のサイド回転ブレード１５の起風羽根Ｆによって発生した排出風は、前記湾曲仕切りプレート３７、前ガイドプレート３２、前記後湾曲ガイドプレート３９によって流動案内されて、かつ、湾曲仕切りプレート３７によってセンタ回転ブレード１４の方に漏れ出ることを抑制されてサイド回転ブレード１５の回転域Ｂをサイド回転ブレード１５の回転方向Ａに回動するように流動し、この回転域Ｂの後部において直線ガイドプレート３８と後湾曲ガイドプレート３９によって刈り刃ハウジング後方向きに流動案内されて直線ガイドプレート３８と後湾曲ガイドプレート３９の後端側どうしの間から前記刈り草排出口１９に向けて流動してこの刈り草排出口１９から刈り刃ハウジング１２の後方に流出し、サイド回転ブレード１５によって刈られた刈り草は、サイド回転ブレード１５によって発生した排出風によって搬送されるとともに仕切りプレート３７及び各ガイドプレート３２，３９によって案内されて刈り草排出口１９から刈り刃ハウジング１２の後方に排出される。
【００３５】
前記刈り刃ハウジング１２は、前記各ガイドプレート３３，３６、各湾曲仕切りプレート３４，３７、各直線ガイドプレート３５，３８に替えて、図６に示す如く各回転ブレード１３，１４，１５に対応した後ガイドプレート４０を装着することができるように構成してある。
【００３６】
各後ガイドプレート４０は、対応する回転ブレード１３，１４，１５の回転域Ｂの後側近くにその回転域Ｂの外周に沿った円弧形に形成してある。各後ガイドプレート４０は、これの全体にわたって回転ブレード１３，１４，１５の配置高さよりも高い配置高さに位置し、刈り草が後ガイドプレート４０の下方を通って刈り刃ハウジング１２から後方に流出することを可能にしている。
【００３７】
草刈り装置１０は、各後ガイドプレート４０を装着することにより、各回転ブレード１３，１４，１５によって刈られた刈り草が前ガイドプレート３２及び後ガイドプレート４０によって流動案内されて回転ブレード１３，１４，１５の回転域Ｂに回転流動しながら滞留し、回転ブレード１３，１４，１５によって細断処理されてから刈り刃ハウジング内から排出されるようにマルチング仕様の草刈り装置になる。
【００３８】
【００３９】
【００４０】
【００４１】
【００４２】
【００４３】
【００４４】
【００４５】
【００４６】
【００４７】
【図面の簡単な説明】
【００４８】
【図１】乗用型草刈り機の全体側面図
【図２】乗用型草刈り機の全体平面図
【図３】草刈り装置の底面図
【図４】草刈り装置のセンタ回転ブレード配設部での断面図
【図５】草刈り装置の斜視図
【図６】草刈り装置の後ガイドプレート装着状態での底面図
【符号の説明】
【００４９】
１２                刈り刃ハウジング
１３                回転ブレード（一つの回転ブレード）
１４ 回転ブレード（中心部に位置する回転ブレード）
１５ 回転ブレード
３２ 前ガイドプレート
３３                ガイドプレート
３３ａ              ガイドプレートの前端側部分
３３ｂ ガイドプレートの回転域の領域に入り込む部分
３４，３７          湾曲仕切りプレート
３５，３８          直線ガイドプレート
４５，４６          ガイドプレート
Ｂ                  回転ブレードの回転域
Ｐ                  回転ブレードの回転軸芯
【図１】
0004546911.tif 000002
【図２】
0004546911.tif 000003
【図３】
0004546911.tif 000004
【図４】
0004546911.tif 000005
【図５】
0004546911.tif 000006
【図６】
0004546911.tif 000007